(57)【要約】      （修正有）【課題】データ流出予防に関して、ウィルス対策ソフト、ＬＡＮモニター監視ソフトなどがあり、又データの暗号化もあるが、より確実に予防できるパソコンを提供する。【解決手段】インターネットなどの公衆回線と繋がっているパソコンと設計開発などで扱う重要データを編集するパソコンをわけることが、データ流出阻止の第一歩であるが、２台のパソコンをルータなどで切り分けて使うと机の上での作業においてスペース的に問題なので、２つのＯＳを同時に１台のパソコンにロードして、切り替える仕組みを作れば解決をする。【選択図】図１
2015046138.tif 000002
【特許請求の範囲】
【請求項１】
一つのパソコンに２つのＯＳをインストールし、電源投入時には、同時に立ち上がる。
【請求項２】
請求項１に基づいて、一対のディスプレイ、キーボード、マウスは２つのＯＳで共有状態にし、スイッチによりディスプレイ表示、キーボード、マウスの制御は２つのＯＳ間で移動する。
【請求項３】
請求項１に基づいて、ＬＡＮ接続はＯＳ１，ＯＳ２間の内部接続とＯＳ１，ＯＳ２に対してのＲＪ４５コネクターを通しての外部接続の２種類があり、スイッチによりこの接続状況を切替える。
【請求項４】
ＯＳ１，ＯＳ２間の内部接続でのデータ移動の際、他のデータが流出しないかのモニター監視ができるようにする。
【請求項５】
請求項１に基づいて、ノートパソコンにおいて、ディスプレイ部にＯＳ１を搭載できるようにし、キーボード本体部分にＯＳ２を搭載できるようにし、ディスプレイ部とキーボード本体部分を切り離すことができるようにする。
【請求項６】
請求項１と請求項５に基づいて、切り離したディスプレイ部はタッチパネルなどで、単独のコンピュータとして使えるようにする。
【請求項７】
請求項１に基づいて、画面を２つに分け（ＯＳ間セパレート画面と名づける）、それぞれＯＳ１用とＯＳ２用として表示及び操作が可能とする。
【請求項８】
テキスト編集などでの、文字及び図のＯＳ１、ＯＳ２の移動はそれぞれのクリップボードを仲介してＯＳ間で移動させるしくみを作ることで可能とする。
【発明の詳細な説明】
【発明の詳細な説明】
【技術分野】  パソコンが常時インターネットなどの公衆回線と繋がっていると、ウィルス対策ソフトなどが、インストールされていても、つねにデータ流出などの危険がつきまとう。そこで、インターネットなどの公衆回線接続専用のＯＳと重要データを扱うＯＳをわけ一つのパソコン上で処理できれば、データ流出の心配もなくかつ効率的に作業をおこなえると判断した。
【背景技術】  従来ひとつのパソコンにＯＳを複数インストールするのに、マルチＯＳと言われるハードディスクのパーティションを切り分け、ブート時に選択するものとＶＭＷＡＲＥのようにひとつのＯＳ上に別のＯＳを動かす仮想ＯＳ的なものである。
マルチＯＳは一つづつしか立ち上がらないので、いちいち再立ち上げを繰り返さなくてはならないので、平行処理をするには時間的ロスが非常に大きい。
ＶＭＷＡＲＥはＬＡＮコネクタが共通であり、つねにデータ流出の危険性は付きまとう。
また、２つのパソコンを用意してＬＡＮ切り替え器のようなものを使えば、機能的には実現はできるが、一つの机に２台分のスペースが必要となり作業には非効率である。
【発明が解決しようとする課題】
一つのＯＳは公衆回線インターネットアクセスのみを行い、もう一つのＯＳでは重要データの編集、技術開発処理を行ない、公衆回線との接続を行わないようにし、重要なデータの流出を食い止める。
【課題を解決するための手段】
そこで一つのパソコンに２つのＯＳを同時に立ち上げる。共有するのはディスプレイとマウス、キーボードのみである。画面に映るＯＳの切り替えは本体側のスイッチで行うパソコンを開発する。
その一つのＯＳは公衆回線インターネットアクセスのみを行い、もう一つのＯＳでは重要データの編集、技術開発処理を行ない重要なデータの流出を食い止める。
このようなことは、２つのパソコンを用意してＬＡＮ切り替え器のようなものを使えば、機能的には実現はできるが、２台のパソコンを使うのでスペースをとり非効率である。
【発明を実施するための形態】
データ流出の危険性を実感として阻止できる。
見た目には一つのパソコンなので、場所をとらない。
【実施例】１．  「ＯＳ切り替えスイッチ」をＯＳ１側、「ネットワーク切替スイッチ」を外部にして、ＯＳ１側でインターネットと接続して、ホームページ閲覧、データのダウンロードなどを行う。
２．  ＯＳ２側で作業を行う時は、「ＯＳ切り替えスイッチ」をＯＳ２側にして、ＯＳ２側の作業を行う。
３．  ＯＳ１とＯＳ２との間でデータの交換をする場合は、「ネットワーク切替スイッチ」を内部にして、Ｗｉｎｄｏｗｓであれば、ＯＳ１側に共有フォルダーを作成し、ＮＥＴＢｉｏｓプロトコルなどで、データの相互交換を行う。ＯＳ１がＬｉｎｕｘの場合はＦＴＰなどで、データの交換を行う。
４．  ノートパソコンなどの場合、画面部分を取り外せるようにして、画面部分に一つのＯＳを、キーボード部分に一つのＯＳをインストールして、画面を取り外した場合その画面部分でタッチパネルなどを利用して、一つのコンピュータとして動作できるものとする。（図４）
５．  画面切替え（ＯＳ切替えスイッチ）において、単純にＯＳ１とＯＳ２が切り替わるものと、ＯＳ１とＯＳ２が画面上で分かれて表示されるものがある（ＯＳ間セパレート画面と名づける）。ＯＳ間セパレート画面において、テキスト編集などを扱う時、マウス操作で、各ＯＳ表示上の文字の範囲を指定して、コピーをし、ＯＳ間のクリップボードでのデータ移動することにより、別のＯＳ上でその文字及び図を貼り付けることができるようにする。（図５）
※ＯＳ１，ＯＳ２にインストールするＯＳはＷｉｎｄｏｗｓ，Ｌｉｎｕｘなど自由である。
【発明の効果】
パソコン２台をルータなどで接続して切替て使えば同様の効果は得られるが場所をとり実用面では非効率であるが、本発明は見た目には１台のパソコンでデータ流出を阻止するための２台分のパソコンの役目をするだけでなく、効率的な作業を行える。又、ＯＳ１，ＯＳ２間での文書編集業務の時など、画面をＯＳ１，ＯＳ２間で分割して、文字及び図などを通常の編集などのようにコピーアンドペーストできるのでＯＳが２台搭載されているという違和感が生じない。
【図面の簡単な説明】
【図１】本発明の「二世帯ＯＳパソコン」の図である。
【図２】本発明の実施図である。１．ＯＳ１側でインターネット上でのホームページなどを閲覧するときは、「ＯＳ切り替えスイッチ」をＯＳ１側にする。２．大事なデータの編集作業をするときは、「ＯＳ切り替えスイッチ」をＯＳ２側にする。３．ＯＳ１，ＯＳ２間のデータ移動は、「ネットワーク切替スイッチ」を内部ＬＡＮに移し、ＯＳ１とＯＳ２の間で、標準のＮｅｔＢｉｏｓやＦＴＰなどでデータ移動を行う。この際、特定のポート番号以外をカットするようにする。尚、この時、両ＯＳとも固定ＩＰアドレスが設定されていないと通信できないので、ＤＮＳ機能も付属させるとよい。
【図３】二世帯ＯＳパソコンＬＡＮ部分概略図である。「ネットワーク切替スイッチ」により「▲１▼インターネット公衆回線」「▲３▼Ｌｏｃａｌ回線」の通路と「▲２▼内部ＬＡＮ」の通路が切り替わる。すなわち「▲１▼インターネット公衆回線」と「▲３▼Ｌｏｃａｌ回線」が通じているときは「▲２▼内部ＬＡＮ」のデータ渡しができない状態になっており、この時ＯＳ２のデータは外部に漏れることはない。「▲２▼内部ＬＡＮ」が通じているときはＯＳ１とＯＳ２のデータのやり取りをする。この時は「▲１▼インターネット公衆回線」と「▲３▼Ｌｏｃａｌ回線」が切られておりＯＳ２のデータは外部には漏れない。
【図４】ディスプレイ切り離し単独パソコンの実施図である。ディスプレイ部を本体と切り離すと、タッチパネルなどを使って、単独でパソコン機能を要する。
【図５】ＯＳ１，ＯＳ２セパレート画面上でのコピーアンドペースト実施図である。１．ＯＳ１側セパレート画面をマウスでクリックすると、コントロールはＯＳ１側に移る。２．コピーをしたい文字、図をマウスで指定して反転させて、ＯＳ１側のクリップボードにコピーする。（このあたりの操作は一般のパソコン操作と同じ）  ３．本体にあるクリップボード転送ボタンを押して、ＯＳ１側のクリップボードの情報をＯＳ２側のクリップボードへ転送する。４．ＯＳ２側のクリップボードの情報をペースト（貼り付け）操作でＯＳ２側へコピーする。
【符号の説明】１．二世帯ＯＳパソコン本体
２．ＯＳ１のＬＡＮコネクター（ＲＪ４５ソケット）
インターネット公衆回線用
３．ＯＳ２のＬＡＮコネクター（ＲＪ４５ソケット）
プリンターなどに接続するローカル用
４．ＯＳ切り替えスイッチ
ＯＳ１，ＯＳ２どちらのＯＳを画面に表示するかを選択するスイッチ。（キーボード、マウスの制御も含む）
＊ＯＳ１，ＯＳ２を画面を分けて表示する（ＯＳ間セパレート画面）時もこのスイッチを使う。その際は「ネットワーク切替スイッチ」は内部ＬＡＮ通信を有効になっていなくてはならない。
５．ネットワーク切替スイッチ
外部ＲＪ４５コネクターを有効するかＯＳ１とＯＳ２間での内部ＬＡＮ通信を有効にするかの切替をする。
※便宜上ＯＳ１をインターネット公衆回線用、ＯＳ２を重要データ編集用としたが、実際はこの逆でもかまわない。
【図１】
2015046138.tif 000003
【図２】
2015046138.tif 000004
【図３】
2015046138.tif 000005
【図４】
2015046138.tif 000006
【図５】
2015046138.tif 000007